(57)【要約】    【課題】  パッド部を自然な配列にして、パッド部の打撃操作性を損なうことなく、楽器全体をカットされたケーキのような外観にして視覚的に楽しませる。    【解決手段】  打楽器１００は、その外観形態が、皿に載った、カットされたケーキのような形を呈し、ベース体１０の上にカット柱体３０が設けられて成る。カット柱体３０は、円柱体から、ケーキの切断面に相当する鉛直な端面３２Ｌ、３２Ｒにおいて平面視扇形の柱が切除された残りの部分の形状をしている。端面３２Ｌ、３２Ｒは、互いに鈍角を成して内向している。カット柱体３０の上面３０ａには、４つのパッド部３５が、上記円柱体の中心点を中心とする円周方向に沿って配列される。各パッド部３５は、外観上、いちごに似せてある。【選択図】      図１
2006267497.tif 000002
【特許請求の範囲】
【請求項１】
円柱体から、互いに鋭角または鈍角を成して内向する２つの縦断面において平面視扇形の柱が切除されたケーキ型菓子の形態を呈するカット柱体と、
前記カット柱体の上面に露出するように配設され、発音のために打撃される複数のパッド部とを有し、
前記複数のパッド部は、前記円柱体の中心点を中心とする円周方向に沿って配列されたことを特徴とする打楽器。
【請求項２】
前記複数のパッド部の各々は、外観上、ケーキに用いられる具材の形態を呈していることを特徴とする請求項１記載の打楽器。
【請求項３】
前記複数のパッド部とは別に、外観上、ケーキに用いられるトッピングの形態を呈する複数の操作子が、前記カット柱体の前記上面に配設されたことを特徴とする請求項１または２記載の打楽器。
【請求項４】
前記カット柱体の前記２つの縦断面に、前記複数のパッド部の打撃により発せられる音を放音するための放音部が設けられた請求項１〜３のいずれか１項に記載の打楽器。
【請求項５】
皿状のベース体を有し、前記カット柱体は、前記ベース体の上に配置されたことを特徴とする請求項１〜４のいずれか１項に記載の打楽器。
【請求項６】
ケーキ型菓子を想起させる香りを発生させる香り発生手段が設けられたことを特徴とする請求項１〜５のいずれか１項に記載の打楽器。
【発明の詳細な説明】
【技術分野】
【０００１】
本発明は、複数のパッド部を備えた打楽器に関し、特に外観形態に工夫を凝らした打楽器に関する。
【背景技術】
【０００２】
従来、発音のために打撃される複数のパッド部を備えた電子ドラム等の打楽器が知られている。例えば、特許文献１の打楽器では、複数のパッド部が、演奏者側からみて、外側に凸となるように円弧状に配列されて、パッド部が操作しやすくなっている。
【０００３】
また、一般に、打楽器においては、外観に趣向を凝らすために、楽器全体のデザインの変更は多少は行われる。
【特許文献１】実公平７−２７５１５号公報
【発明の開示】
【発明が解決しようとする課題】
【０００４】
しかしながら、打楽器においても、楽器である以上、しっかりと演奏でき、良好に発音されることが最低限求められる。そのため、例えば、楽器全体を菓子等に似るようにデザインする場合にも、パッド部の配置が不自然となってパッド部の操作性が犠牲になる等の状況は好ましくない。従って、楽器という制約の中で、外観上で視覚的な楽しみや親近感を与える際に、満足できる外観形態を実現するのが困難であるという問題があった。
【０００５】
本発明は上記従来技術の問題を解決するためになされたものであり、その目的は、パッド部を自然な配列にして、パッド部の打撃操作性を損なうことなく、楽器全体をカットされたケーキのような外観にして視覚的に楽しませることができる打楽器を提供することにある。
【課題を解決するための手段】
【０００６】
上記目的を達成するために本発明の請求項１の打楽器は、円柱体から、互いに鋭角または鈍角を成して内向する２つの縦断面（３２、５２）において平面視扇形の柱が切除されたケーキ型菓子の形態を呈するカット柱体（３０、２００）と、前記カット柱体の上面に露出するように配設され、発音のために打撃される複数のパッド部（３５、５５）とを有し、前記複数のパッド部は、前記円柱体の中心点を中心とする円周方向に沿って配列されたことを特徴とする。
【０００７】
好ましくは、前記複数のパッド部の各々は、外観上、ケーキに用いられる具材の形態を呈している（請求項２）。また、好ましくは、前記複数のパッド部とは別に、外観上、ケーキに用いられるトッピングの形態を呈する複数の操作子（３４）が、前記カット柱体の前記上面に配設されている（請求項３）。
【０００８】
また、好ましくは、前記カット柱体の前記２つの縦断面に、前記複数のパッド部の打撃により発せられる音を放音するための放音部（３３、５３）が設けられている（請求項４）。また、好ましくは、皿状のベース体（１０）を有し、前記カット柱体は、前記ベース体の上に配置されている（請求項５）。
【０００９】
また、好ましくは、ケーキ型菓子を想起させる香りを発生させる香り発生手段（２３、４４）が設けられている（請求項６）。
【００１０】
なお、上記括弧内の符号は例示である。
【発明の効果】
【００１１】
本発明によれば、パッド部を自然な配列にして、パッド部の打撃操作性を損なうことなく、楽器全体をカットされたケーキのような外観にして視覚的に楽しませることができる。
【発明を実施するための最良の形態】
【００１２】
以下、本発明の実施の形態を図面を参照して説明する。
【００１３】
（第１の実施の形態）
図１は、本発明の第１の実施の形態に係る打楽器を斜め上方からみた斜視図である。この打楽器１００は、電子ドラム装置として構成され、且つ、その外観形態が、カットされ皿に載せられたケーキのような形を呈する。打楽器１００は、ベース体１０の上面１０ａカット柱体３０が設けられて成る。ベース体１０の外装及びカット柱体３０の外装は、樹脂で一体に形成されるが、互いに別体で形成し、ベース体１０の上面１０ａにカット柱体３０を固着等により固定してもよい。
【００１４】
カット柱体３０の形は、ケーキでいうと、約１／３が切除された残りの部分の形に相当し、その平面視形状は、円形から扇形が切り欠かれたような形状をしている。すなわち、カット柱体３０は、円柱体から、ケーキの切断面に相当する鉛直な端面３２Ｌ、３２Ｒにおいて平面視扇形の柱が切除された残りの部分の形状をしている。端面３２Ｌ、３２Ｒは、上記円柱体の中心に相当する位置を通り、互いに鈍角（約１２０°）を成して内向している。以降、端面３２Ｌ、３２Ｒが向いている側を前方とし、左右方向は、前方にいる不図示の奏者からみて呼称する。
【００１５】
カット柱体３０において、カット柱体３０の上部と、端面３２Ｌ、３２Ｒを除く側部の上半部とにかけて、ケーキのクリームを模した疑似クリーム３１が被覆されている。疑似クリーム３１の上面でもあるカット柱体３０の上面３０ａには、４つのパッド部３５（１）〜３５（４）が設けられる。パッド部３５（１）〜３５（４）は、枠体３７（１）〜３７（４）と、各枠体３７の内側に配置されるパッド体３６（１）〜３６（４）とから構成される。各パッド体３６は、打撃され、その打撃に応じて、後述する発音処理部４１によって打楽器音が電子的に発せられる。各パッド部３５には、バスドラム、スネアドラム等、互いに異なるドラム音が割り当てられている。
【００１６】
４つのパッド部３５は、上記円柱体の中心点を中心とする円周方向に沿って配列され、打撃操作が行いやすくなっている。各パッド部３５は、外観上、ケーキに用いられる具材、例えば、いちごの形態を呈している。また、カット柱体３０の上面３０ａには、小粒状の上面操作子群３４が設けられる。上面操作子群３４は、上記円柱体の中心付近に集中的に配置されており、操作が容易になっている。
【００１７】
上面操作子群３４は、ケーキに用いられるトッピング（チョコチップ等）の集合の形態を呈している。上面操作子群３４は、効果音の発生や、楽音パラメータを変更制御する機能等を有する。例えば、上面操作子群３４のある１つを押下しながら、パッド部３５のある１つを打撃すると、当該パッド部３５による打撃音が変わる。あるいは、各パッド部３５に割り当てられるドラム音を設定する機能を上面操作子群３４のいずれかの操作子に持たせてもよい。
【００１８】
端面３２Ｌ、３２Ｒには、それぞれ、パッド部３５の打撃により発せられる音を放音するための放音部３３（３３Ｌ、３３Ｒ）が設けられる。放音部３３は、横長のスリットが上下方向に複数配列されて成る。さらに、端面３２Ｌ、３２Ｒには、ケーキのクリームと生地で成る層状の形態を呈する色つきの層状模様３８が描かれており、これと上記放音部３３の横長スリットの形態とによって、端面３２Ｌ、３２Ｒが、擬似的に層状ケーキの切り口にみえるようになっている。また、カット柱体３０の外周面にも、層状模様３８に繋がる層状模様３８１が描かれている。なお、この層状模様３８１は廃止してもよい。
【００１９】
図２（ａ）は、打楽器１００を斜め下方からみた斜視図である。ベース体１０は、樹脂製で、ケーキを載せる皿の形態を模した形状に形成され、一体に形成される底部１１と、別体の蓋体１２（図１参照）とを有する。ベース体１０の底部１１には、端子口１８、１９が設けられる。端子口１８には、電源端子２０、オーディオ端子２１、２２が設けられ、端子口１９には、例えば、不図示のＭＩＤＩ端子等が設けられる。
【００２０】
図２（ｂ）は、蓋体１２を取り除いたベース体１０の内部を示す図である。蓋体１２を取り除いた状態では、ベース体１０の内部において、パネル部ＰＮが見えている。
【００２１】
蓋体１２は、ベース体１０の左右方向中央に配置され、野球のベースのような５角形の形に構成されている（図１参照）。ベース体１０の上面１０ａには、蓋体１２に対応する形の蓋取り付け穴１６及び係合部１７が形成されている。係合部１７における奥側の２辺に相当する部分には、それぞれ係合穴１７ａが形成されている。各係合穴１７ａに対応して蓋体１２から下方に突出形成された突起部（図示せず）を、対応する係合穴１７ａに挿入し、さらに、蓋取り付け穴１６に対応して蓋体１２に設けられた係着部（図示せず）を、蓋取り付け穴１６に圧入することで、閉蓋がなされる。すなわち、蓋体１２の外縁を係合部１７の上に載置して蓋取り付け穴１６を塞ぐことで、蓋体１２がベース体１０に取り付けられる。この状態では、ベース体１０の上面１０ａと蓋体１２の上面とは面一となっており、図１に示すように、両者にまたがってフォークの絵１４及びナイフの絵１５が描かれている。上面１０ａにおいて、係合部１７の前部には、装着状態の蓋体１２に指を掛けるための指掛け部２５が形成されている。
【００２２】
図２（ｂ）に示すように、ベース体１０の内部において、パネル部ＰＮには、操作子群２７、液晶等の表示部２６、及び香り発生体２３（２３Ｌ、２３Ｒ）等が配設されている。香り発生体２３Ｌ、２３Ｒは、扇形に形成され、蓋取り付け穴１６の内側における左右後部に設けられた取り付け部２４Ｌ、２４Ｒに対して着脱自在に構成されている。香り発生体２３は、いずれも、ケーキを想起させるような香料（例えば、バニラエッセンス）を含んでおり、香りを常時発生させる。この香料としては、シナモンやジャム等の市販のものを利用することもできる。蓋体１２の装着状態において、蓋体１２における、香り発生体２３Ｌ、２３Ｒの上方位置には、放香用穴１３（１３Ｌ、１３Ｒ）が設けられている（図１参照）。放香用穴１３は、例えば、複数のスリットから構成されている。
【００２３】
香り発生体２３を対応する取り付け部２４に装着したとき、香り発生体２３は、蓋体１２の放香用穴１３に近接し、香り発生体２３から発せられる香りが放香用穴１３から効率良く放出される。また、蓋体１２を取り去れば香り発生体２３が現れるので、香り発生体２３の交換が容易である。なお、放香用穴１３は、多数の小孔で構成してもよい。
【００２４】
なお、香り発生体２３から発せられる香りは、放香用穴１３だけでなく、カット柱体３０の内部空間を通じて放音部３３からも放出されるように構成してもよい。その場合、主に、放音部３３において放音に関して余剰となる横長スリットを放香用に利用してもよい。放音部３３から放香させるようにすれば、演奏時には、後述するスピーカの振動によってより強く放香させることができる。
【００２５】
図３は、打楽器１００の制御構成のブロック図である。打楽器１００は、上記したパッド部３５、上面操作子群３４、発音処理部４１、表示部２６のほか、その他操作子群４２及び制御部４０を有する。その他操作子群４２には、上記した操作子群２７等が含まれる（図２（ｂ）参照）。制御部４０は、不図示のＣＰＵ及び記憶部を有し、打楽器１００の制御機構全体の制御を司る。
【００２６】
発音処理部４１には、図示しない音源回路、効果回路、アンプ、スピーカ等が含まれる。奏者は、所望のパッド体３６を、手やスティック等で所望の強さで打撃する。各パッド部３５には、不図示の振動センサが取り付けられ、対応するパッド体３６の打撃振動が上記振動センサにより検出される。また、カット柱体３０内には、上記検出された打撃振動に基づくトリガ信号と打撃強さに応じた信号とを発生させる信号発生回路が設けられており、発音処理部４１は、上記トリガ信号に同期して、且つ上記打撃強さに応じた音量にて、打楽器音を電子的に発音する。発音された打楽器音は、放音部３３から主に前方に放音される。
【００２７】
本実施の形態によれば、カット柱体３０が、円柱体から、平面視扇形の柱が切除されたケーキ型菓子の形態を呈し、４つのパッド部３５は、上記円柱体の中心点を中心とする円周方向に沿って配列される。これにより、打楽器１００全体を、カットされたケーキのような外観にして視覚的に楽しませることができる。しかも、パッド部３５を自然な円弧状の配列にできるので、いずれのパッド部３５も打撃しやすく、それらの打撃操作性を損なうことがない。
【００２８】
また、カット柱体３０の上面３０ａに配設されたパッド部３５、上面操作子群３４は、それぞれケーキのいちご、トッピングに似ており、さらに端面３２の層状模様３８、放音部３３が層状ケーキの切り口に似ており、ベース体１０は、ケーキ皿に似ているので、全体として、皿に載ったケーキらしく見え、親しみが湧きやすく、演奏が楽しくなる。また、パッド部３５、上面操作子群３４及び放音部３３は、楽器としても必要な構成要素であり、これらが視覚的効果を発揮することから、構成が複雑化することなく、外部から見え且つ楽器機能しか有さない構成要素を少なくでき、意匠的効果が高い。しかも、ベース体１０の内部に、操作子群２７、表示部２６等の、演奏に必要な構成要素の一部を内蔵し、非演奏時等には、蓋体１２を装着することで、これらの構成要素が隠れるようにしたので、非演奏時において、据え置いておくだけでも視覚的に楽しめる。
【００２９】
また、放音部３３が設けられる端面３２は、奏者側を向いているので、打撃による楽音が奏者に聞こえやすい。
【００３０】
また、香り発生体２３を設けたので、視覚だけでなく、嗅覚的な面からも打楽器１００に興味や親近感を持たせることができ、楽しさが増す。
【００３１】
（第２の実施の形態）
第１の実施の形態では、香り発生体２３をベース体１０に内蔵させたが、本第２の実施の形態では、香り発生体を放音部３３の直ぐ後方に配設した点が異なり、その他の構成は第１の実施の形態と同様である。
【００３２】
図４（ａ）は、本発明の第２の実施の形態に係る打楽器における香り発生体の配置を示すカット柱体の断面図である。端面３２Ｌ、３２Ｒのいずれについても香り発生体の配置は同様であるので、代表して端面３２Ｌに関する構成を説明する。
【００３３】
まず、発音処理部４１に含まれるスピーカ４３が、カット柱体３０の内部に固定的に設けられる。そして、スピーカ４３と放音部３３Ｌとの間に形成される間隙に、香り発生体４４が配置される。香り発生体４４は、端面３２Ｌを構成する壁に固定される。香り発生体４４は、例えば、香料を染みこませた薄板状の部材４６を、フェルト製等の薄板状の吸音部材４５、４７で挟んで一体的に構成される。部材４６には透孔４６ａが多数穿設され、吸音部材４５、４７にもそれぞれ透孔４５ａ、４７ａが多数穿設される。これら透孔４６ａ、４５ａ、４７ａは、同軸で、互いに形状も一致している。これにより、スピーカ４３からの放音が妨げられにくくなっている。なお、端面３２Ｌを構成する壁は、ビリ付き防止のための防振用ゴム２８、２９を介して、カット柱体３０の上面３０ａ、ベース体１０の上面１０ａに固定される。
【００３４】
スピーカ４３が発音するとき、そのスピーカコーン（図示せず）の振動によって、部材４６が振動し、それにより、香料が発散しやすい。従って、非演奏時に比し、パッド部３５による打撃演奏時には、部材４６から香料が一層多く放出される。図４（ｂ）は、経過時間ｔに対する発音音量と香料の量（放香量）との関係を示すタイミングチャートである。例えば、図４（ｂ）に示すように、発音音量が大きいほど、その瞬間の放香量が多く、発音がない状態が続くと、放香量が徐々に減少していく。
【００３５】
本実施の形態によれば、第１の実施の形態と同様の効果を奏するだけでなく、演奏に伴って放香量が増加するので、嗅覚的な面から興味や親近感を持たせることに関し、一層大きな効果を発揮することができる。
【００３６】
なお、楽音発生に連動して香りが発生するようにする観点からは、このような構成に限られない。例えば、香り発生体４４は、スピーカ４３に固定してもよい。また、香り発生体４４を設ける代わりに、スピーカコーンに、香料スプレーを定期的に吹きかけることができるように構成してもよい。
【００３７】
（第３の実施の形態）
第１の実施の形態では、打楽器を電子ドラム装置として構成したが、本発明の第３の実施の形態では、アコースティック楽器として構成する。
【００３８】
図５は、本発明の第３の実施の形態に係る打楽器を斜め上方からみた斜視図である。この打楽器２００は、外観上は、第１の実施の形態における打楽器１００からベース体１０を除いたもの、すなわち、カット柱体３０とほぼ同様の形状をしている。なお、第１の実施の形態と同様に、ベース体１０に相当するものを設けてもよい。
【００３９】
同図に示すように、打楽器２００は、パッド部３５に相当するパッド部５５を４つ有する。パッド部５５（１）〜５５（４）は、筒体５７（１）〜５７（４）と、各筒体５７の上部に配置されるパッド体５６（１）〜５６（４）とから構成される。各パッド体５６は、皮、または樹脂皮体で構成され、対応する筒体５７の上部に張設され、打楽器２００の上面２００ａに露出している。各パッド体５６が打撃されることで振動し、対応する筒体５７で共鳴して音響となる。
【００４０】
また、端面３２Ｌ、３２Ｒに相当する端面５２Ｌ、５２Ｒには、放音部３３に相当する放音部５３が設けられる。放音部５３は、打楽器２００の外周面２００ｂにも設けられる。これらの放音部５３から、各パッド部５５の打撃音が放音される。各パッド部５５は、例えば、果物のキウイの断面を模した形及び配色で構成されている。
【００４１】
本実施の形態によれば、パッド部５５を自然な配列にして、パッド部５５の打撃操作性を損なうことなく、楽器全体をカットされたケーキのような外観にして視覚的に楽しませることに関し、第１の実施の形態と同様の効果を奏することができる。
【００４２】
なお、本実施の形態では、香り発生体を設けるならば、打楽器２００の内部において、放音部５３に近く、且つ筒体５７に近い位置に香り発生体を配置して、パッド部５５の打撃振動によって放香されるようにしてもよい。
【００４３】
なお、本実施の形態において、第１の実施の形態における上面操作子群３４と同じような形態の部材を、装飾のために、打楽器２００の上面２００ａに配設してもよい。
【００４４】
なお、上記各実施の形態において、打楽器全体をケーキに似せることに関して、パッド体３６、５６は、いちごやキウイの形態に限られず、各種の果物等のケーキ用具材をモチーフにすることが可能である。上面操作子群３４についても、チョコチップに限られず、ケーキ上面に盛られる各種の小具材をモチーフにすることが可能である。
【００４５】
なお、端面３２Ｌ、３２Ｒが成す角度は１８０°以下であればよく、鋭角でもよいが、演奏のしやすいようにパッド部３５を配置する観点、及び良好な放音効果を得る観点からは、鈍角が好ましい。
【００４６】
なお、各実施の形態において、打楽器全体をケーキの外観形態としたが、カット前の形状が円柱状のケーキ型菓子であれば、似せる対象とすることが可能である。
【図面の簡単な説明】
【００４７】
【図１】本発明の第１の実施の形態に係る打楽器を斜め上方からみた斜視図である。
【図２】打楽器を斜め下方からみた斜視図（図（ａ））、及び蓋体を取り除いたベース体の内部を示す（図（ａ））である。
【図３】打楽器の制御構成のブロック図である。
【図４】本発明の第２の実施の形態に係る打楽器における香り発生体の配置を示すカット柱体の断面図（図（ａ））、及び経過時間に対する発音音量と香料の量（放香量）との関係を示すタイミングチャートである。
【図５】本発明の第３の実施の形態に係る打楽器を斜め上方からみた斜視図である。
【符号の説明】
【００４８】
１０…ベース体、  ２３、４４…香り発生体（香り発生手段）、  ３０ａ、２００ａ…上面、  ３０…カット柱体、  ３２、５２…端面（縦断面）、  ３３、５３…放音部、  ３４…上面操作子群（複数の操作子）、  ３５、５５…パッド部、  １００…打楽器、  ２００…打楽器（カット柱体）
【図１】
2006267497.tif 000003
【図２】
2006267497.tif 000004
【図３】
2006267497.tif 000005
【図４】
2006267497.tif 000006
【図５】
2006267497.tif 000007